(57)【要約】【課題】例えば自動車、オートバイ、船舶をはじめとする移動体に組み込まれ、各種計測値表示や状態表示を行う車両用表示装置に関し、識別ラベルの読み取り作業性を良好にし、生産性を向上させることが可能な車両用表示装置を提供する。【解決手段】車両情報を表示する表示部材１，１１，１２と、この表示部材１，１１，１２を収容する外装部材３，３１、３２，３３，３４と、外装部材（裏カバー）３４の外壁面に貼着される識別ラベル４とを備えた車両用表示装置であって、外装部材３４に識別ラベル４の貼り付け方向を特定するにあたって目印として利用可能なマーク部３４２を設けた。【選択図】図３
2008203024.tif 000002
【特許請求の範囲】
【請求項１】
車両情報を表示する表示部材と、この表示部材を収容する外装部材と、この外装部材の外壁面に貼着される識別ラベルとを備えた車両用表示装置であって、
前記外装部材に前記識別ラベルの貼り付け方向を特定するにあたって目印として利用可能なマーク部を設けたことを特徴とする車両用表示装置。
【請求項２】
前記外装部材が合成樹脂の射出成形体からなり、前記マーク部は前記合成樹脂の射出成形の際に刻印形状に型形成されてなることを特徴とする請求項１記載の車両用表示装置。
【発明の詳細な説明】
【技術分野】
【０００１】
本発明は、例えば自動車、オートバイ、船舶をはじめとする移動体に組み込まれ、各種計測値表示や状態表示を行う車両用表示装置に関する。
【背景技術】
【０００２】
この種の車両用表示装置として、例えば下記特許文献１に記載されているものが知られている。この車両用表示装置は、車速、エンジン回転数、残燃料量、走行距離等の車両情報を表示する計器装置やフラットディスプレイパネルからなる表示部材と、この表示部材を収容するケース、ハウジング、カバー、見返し板からなる外装部材とを備えて一つの製品パッケージ（コンビネーションメータ）をなしており、多くの場合、適用される車種やグレード等に応じて様々な機種バリエーションが存在する。
【０００３】
このため、文字コードやバーコード等の製品識別情報を印刷した識別ラベルを製品（コンビネーションメータ）個々の外装ケースに貼着し、この識別ラベルの情報を製造工程においてスキャナー装置（読み取り装置）で読み取るなどして、機種毎の生産台数管理や組立、検査等の工程管理を自動的に行う場合があり、従来は製造工程において識別ラベルの位置が作業者によってばらつかないよう、外装部材に識別ラベルの貼り付け位置を規定する枠部を設け（多くは合成樹脂からなる外装部材の射出成型の際に型成形される）、この枠部に収まるように識別ラベルを貼り付けていた。
【特許文献１】特開２００６−２４２６５１号公報
【発明の開示】
【発明が解決しようとする課題】
【０００４】
しかしながら、外装部材に枠部を設けることで識別ラベルの貼り付け位置を規定することはできても、作業者によって識別ラベルの貼り付け方向が様々な場合があり、このような識別ラベルの貼り付け方向が一定しないと、作業者が識別ラベルの情報を読み取る際に、読み取り作業性が悪く、生産性を低下させてしまうという問題がある。
【０００５】
本発明は、この点に鑑みてなされたもので、その主な目的は、識別ラベルの読み取り作業性を良好にし、生産性を向上させることが可能な車両用表示装置を提供するものである。
【課題を解決するための手段】
【０００６】
本発明は、前記目的を達成するため、車両情報を表示する表示部材と、この表示部材を収容する外装部材と、この外装部材の外壁面に貼着される識別ラベルとを備えた車両用表示装置であって、前記外装部材に前記識別ラベルの貼り付け方向を特定するにあたって目印として利用可能なマーク部を設けたことを特徴とする。
【０００７】
また本発明は、前記外装部材が合成樹脂の射出成形体からなり、前記マーク部は前記合成樹脂の射出成形の際に刻印形状に型形成されてなることを特徴とする。
【発明の効果】
【０００８】
本発明によれば、初期の目的を達成でき、識別ラベルの読み取り作業性を良好にし、生産性を向上させることが可能な車両用表示装置を提供することができる。
【発明を実施するための最良の形態】
【０００９】
図１から図５は、本発明の第１の実施形態を示すもので、図１は本発明による車両用表示装置の正面図、図２は図１のＡ−Ａ断面図、図３は同実施形態における裏カバー（外装部材）の背面側を示す正面図、図４は図３の識別ラベル及びその周辺を拡大して示す拡大正面図、図５は図４のＢ−Ｂ断面図である。
【００１０】
図１及び図２において、車両用表示装置は、例えば自動車に搭載されるコンビネーションメータからなるもので、表示部材１と、表示部材１を作動させる回路基板２と、この回路基板２及び表示部材１を収容する外装部材３とを備えている。
【００１１】
表示部材１は、例えば車速、エンジン回転数、残燃料量からなる車両情報を表示する周知な指針式の計器装置１１と、例えば走行距離からなる車両情報を表示するフラットディスプレイパネル１２とからなる。
【００１２】
計器装置１１は、本例の場合、表示すべき計測量（車速、エンジン回転数、残燃料量）に応じて三種類を含み、またフラットディスプレイパネル１２は、液晶表示パネルから構成され、双方とも照明用の光源を備えている。
【００１３】
回路基板２は、周知な硬質回路基板からなり、表示部材１や前記光源を電気的作動させるための回路素子や回路パターンを有している。
【００１４】
外装部材３は、表カバー３１、見返し板３２、ケース（ハウジング）３３、裏カバー３４からなり、回路基板２及び表示部材３を収容する。なお表カバー３１は表示部材１を透視可能に透明な合成樹脂からなるが、見返し板３２、ケース（ハウジング）３３、裏カバー３４はそれぞれ遮光性の合成樹脂からなる。
【００１５】
以上の通り本例による車両用表示装置は、表示部材１と、回路基板２とを外装部材３内に収容してなるが、外装部材３のうち、裏カバー３４の背面側外壁面の適所には、図３に示すように識別ラベル４が貼着されている。
【００１６】
この識別ラベル４には、図４にて拡大して示すように、例えば第１，第２の文字コードＬＣ１，２やバーコードＢＣによる製品識別情報が記載（印刷）された粘着シール（材質は任意だが紙等が適用できる）からなり、各製品（車両用表示装置）毎に一枚、作業者の手作業により貼着されている。そしてこの識別ラベル４の識別情報を製造工程においてスキャナー装置（読み取り装置）で読み取るなどして、機種毎の生産台数管理や組立、検査等の工程管理を自動的に行うものである。
【００１７】
ここで識別ラベル４が貼着される裏カバー３４の外壁面箇所に注目すると、当該箇所には、裏カバー３４における識別ラベル４の貼付位置を指定するための目印部３４１と、識別ラベル４の裏カバー３４に対する貼り付け方向を特定するにあたって目印となる（目印として利用可能な）マーク部３４２とが形成されている。
【００１８】
目印部３４１は、識別ラベル４の外形形状よりも僅かに大きな枠線からなり、当該枠線は、合成樹脂の射出成形体からなる裏カバー３４を型成形する際に裏カバー３４の外壁面から連続して突出するように型成形された壁部（凸部）によって形成されている。
【００１９】
マーク部３４２は、目印部３４１の周囲であって図４中、目印部３４１の上側の辺に隣接して形成される三角マークからなり、当該三角マークは、裏カバー３４の射出成形の際に裏カバー３４の外壁面から突出するように刻印形状に型形成されている。
【００２０】
そして、この三角マークからなるマーク部３４２は、その角部Ｐが図４中、真上を向き、底辺ＢＳが目印部３４１と平行となることによって、識別ラベル４の貼り付け方向を特定する目印としての機能を有している。
【００２１】
すなわち、本例の場合、識別ラベル４の向きは、予め第１の文字コードＬＣ１が最も上（先頭）で第２の文字コードＬＣ２が最も下（末尾）と定められており、マーク部３４２はその角部Ｐによって識別ラベル４の上方向、つまり第１の文字コードＬＣ１が位置する方向を特定できるようになっている。従って作業者は、マーク部３４２の指し示す上方向に第１の文字コードＬＣ１が位置し、その反対側に第２の文字コードＬＣ２が位置するように識別ラベル４を貼り付ければよい。
【００２２】
このように識別ラベル４を目印として識別ラベル４を貼り付けることにより、識別ラベル４の向きがばらつくことを抑制でき、また貼り付け方向を迷ったり、誤って貼着してしまった識別ラベル４を再び貼り直すといった手間を省くことができる。結果、識別ラベル４の貼り付け作業性、製品識別情報の読み取り作業性が向上し、生産性を高めることができる。
【００２３】
以上のように本実施形態では、車両情報を表示する表示部材１，１１，１２と、この表示部材１，１１，１２を収容する外装部材３，３１、３２，３３，３４と、外装部材（裏カバー）３４の外壁面に貼着される識別ラベル４とを備えた車両用表示装置であって、外装部材３４に識別ラベル４の貼り付け方向を特定するにあたって目印として利用可能なマーク部３４２を設けたことにより、生産性を高めることができる。
【００２４】
なお本実施形態では、マーク部３４２を三角形状としたが、マーク部３４２の形状は任意であり、例えば本発明の第２の実施形態として図示する図６に示すように、矢印形状としてもよい。
【００２５】
またマーク部３４２の形状は、三角形状や矢印形状のように方向判別性を有する形状に限らず、例えば本発明の第３の実施形態として図示する図７に示すような単純な丸印であってもよく、この場合、丸印からなるマーク部３４２と、第１の文字コードＬＣ１（の先頭文字）との位置関係から識別ラベル４の貼り付け方向を特定すればよい。
【図面の簡単な説明】
【００２６】
【図１】本発明の第１の実施形態による車両用表示装置の正面図。
【図２】図１のＡ−Ａ断面図。
【図３】同実施形態における裏カバー（外装部材）の背面側を示す正面図。
【図４】図３の識別ラベル及びその周辺を拡大して示す拡大正面図。
【図５】図４のＢ−Ｂ断面図。
【図６】本発明の第２の実施形態による要部正面図。
【図７】本発明の第３の実施形態による要部正面図。
【符号の説明】
【００２７】
１  表示部材
２  回路基板
３  外装部材
４  識別ラベル
１１  計器装置
１２  フラットディスプレイパネル
３１  表カバー
３２  見返し板
３３  ケース（ハウジング）
３４  裏カバー
３４１  目印部
３４２  マーク部
ＢＣ バーコード
ＢＳ  底辺
ＬＣ１，ＬＣ２  第１，第２の文字コード
Ｐ  角部
【図１】
2008203024.tif 000003
【図２】
2008203024.tif 000004
【図３】
2008203024.tif 000005
【図４】
2008203024.tif 000006
【図５】
2008203024.tif 000007
【図６】
2008203024.tif 000008
【図７】
2008203024.tif 000009